(57)【要約】  【課題】  ダクトカバーの小径部をダクトカバーの軸心に平行な方向に通気性を備えた構造にすることで大径換気ダクトを装着した場合でも流量の低下をきたさないダクトカバー，上記換気ダクト及び上記ダクトカバーから構成される換気装置，及び該換気装置を備えた空気調和機を提供する。  【解決手段】ダクトカバー１の内周面に小径部と大径部とが形成され，小径部がダクトカバー１の軸心に平行な複数（この場合４本）の尾根部３と，尾根部３に挟まれた複数の谷部１２とによって構成されている。また小径部が尾根部３と谷部１２から形成されているので，換気ダクト５の先端が尾根部の段付き部３ａに当接した状態でも，換気ダクト５から排気される空気が，前記尾根部３と尾根部３との間の谷部１２を通って流れることができるため，小径部における流路の面積が広く，ダクトカバー１が排気流量を低下させる不都合を生じない。【選択図】図２
2005127585.tif 000002
【特許請求の範囲】
【請求項１】
室外側端部に空気排出口が設けられると共に排気される空気を室内から室外へと導く換気ダクトの室外側の側端部に冠着される中空状のダクトカバーであって，冠着端部が有孔閉塞板によって通気状に閉塞されてなるダクトカバーにおいて，
該ダクトカバーの内周面に，前記有孔閉塞板を設けた奥側に設けられ小径ダクトを装着可能な小径部と，入り口側に設けられ大径ダクトを装着可能な大径部とを備え，前記小径部が該ダクトカバーの軸心に平行な方向に通気性を備えた構造を具備してなることを特徴とするダクトカバー。
【請求項２】
前記通気性を備えた構造が，ダクトカバーの軸心に平行な尾根部と，該尾根部に平行な谷部とから構成されてなる請求項１に記載のダクトカバー。
【請求項３】
前記尾根部が更にその内部に通気孔を備えたものである請求項２に記載のダクトカバー。
【請求項４】
前記ダクトカバーの形状が概略中空円筒形状である請求項１〜３に記載のダクトカバー。
【請求項５】
前記通気性を備えた構造が，前記ダクトカバーの内部に形成された同心円筒により構成されてなる請求項４に記載のダクトカバー。
【請求項６】
前記大径部と前記小径部とを接続する段付き部先端が面取りされてなる請求項１〜５に記載のダクトカバー。
【請求項７】
前記換気ダクトの該ダクトカバーから出た部分を前記ダクトカバーの前記入り口側の部分に固定するべく前記換気ダクトが貫通する鍔部材を備えてなる請求項１〜６に記載のダクトカバー。
【請求項８】
前記有孔閉塞板が前記ダクトカバーの前記冠着端部に開閉自在に取り付けられてなる請求項１〜７に記載のダクトカバー。
【請求項９】
前記有孔閉塞板が前記ダクトカバーの前記冠着端部に接続部材を介して開閉自在に取り付けられてなる請求項８に記載のダクトカバー。
【請求項１０】
前記有孔閉塞板を前記ダクトカバーの前記冠着端部が閉じられる方向に前記有孔閉塞板を常時弾性付勢する付勢部材を更に具備してなる請求項８に記載のダクトカバー。
【請求項１１】
室外側端部に空気排出口が設けられると共に排気される空気を室内から室外へと導く換気ダクトと，該換気ダクトの室外側の側端部に冠着される中空状のダクトカバーとから構成される換気装置において，前記ダクトカバーが請求項１〜１０に記載のダクトカバーである換気装置。
【請求項１２】
請求項１１に記載の換気装置を備えてなる空気調和機。
【発明の詳細な説明】
【技術分野】
【０００１】
本発明は，換気ダクトの室外側の側端部に冠着される中空状で冠着端部が有孔閉塞板で閉塞されたダクトカバーにおいて，特に，ダクトカバーの内周面に，小径ダクトを装着可能な小径部と大径ダクトを装着可能な大径部とを備え，小径部が該ダクトカバーの軸心に平行な方向に通気性を備えた構造であるダクトカバー，上記換気ダクトと上記ダクトカバーから構成される換気装置，及び該換気装置を備えた空気調和機に関するものである。
【背景技術】
【０００２】
一般にダクトカバーは，例えば，室内の空気を室外へ排気する排気装置，或いは空気調和機といった排気装置を備えた装置において，排気される空気を室内から室外へと導く配管端部に換気ダクトを保護する目的で取り付けられるものである。
このダクトカバーにおける従来の技術として，例えば図１３及び図１４に示されるような，換気ダクトの室外側の側端部に冠着するダクトカバー１０１が挙げられる。図からも分かるように，このダクトカバー１０１の空気排出口１０２は，格子状の有孔閉塞板により通気状に閉塞されている。
ダクトカバー１０１の径は２段階になっており，径の異なる小径の換気ダクト１０５（図１３），及び大径の換気ダクト１０６（図１４）の両方に共用できる構造になっている。即ち，大小２つの径の換気ダクト１０５及び１０６のうち，径が小さい換気ダクト１０５については，空気排出口１０２側のダクトカバーの小径部１０３にまで差し込むことが可能な構造になっている（図１３）。また，径が大きな換気ダクト１０６については，換気ダクト差込口１０７側のダクトカバーの大径部１０４にのみ差し込むことが可能な構造になっている（図１４）。
【０００３】
また，ダクトカバーにおける別の従来技術としては，特許文献１に示されるような，空気調和機における電線及び冷媒配管等の屈曲部を覆って保護するダクトカバーが挙げられる。また，このダクトカバーには，径の異なる２種類の冷媒配管に共用できる接続部が，ダクトカバーの大径部と小径部との境に設けられており，大きな径の冷媒配管を接続する場合は上述した接続部を切断して使用し，また小さな径の冷媒配管を接続する場合は上述した接続部を切断することなく，そのまま使用すればよい構造になっている。
ここで，特に換気装置に用いられるダクトカバーには，換気ダクトにダクトカバーを差し込んで取り付けるタイプのものがある。例えば特許文献２及び特許文献３に示されるようなダクトカバーが，それに該当する。
【特許文献１】特開平１０−８２４９８号公報
【特許文献２】特開２０００−３５６３７６号公報
【特許文献３】特開２００３−６５５７５号公報
【発明の開示】
【発明が解決しようとする課題】
【０００４】
しかしながら，上述した図１３及び図１４に示される従来のダクトカバー１０１の場合には，図１４のように大径の換気ダクト１０６の端部を覆うために，ダクトカバー１０１を使用した場合，小径部１０３と大径部１０４との径の断面積の違いから，換気ダクト１０６から室外に排出される空気の通路が，大径部１０４と小径部１０３との境目で急に細くなる。その結果，換気ダクト１０６を通って室外に排出される空気流量の低下を招く可能性が高い。
また特許文献１に示される技術では，大きな径の冷媒配管を接続する場合，上述した接続部を切断したり，割ったりする等の作業が必要となり手間がかかる。また，例えば接続部の切断に失敗すると，切断に失敗したダクトカバーの使用ができないため，別途新しいダクトカバーを調達する必要があり，経済性に関する問題がある。
更に，前記特許文献２及び特許文献３に示される技術では，ダクトカバーを換気ダクトに差し込んで取り付ける構成上，空気排出口の断面積が換気ダクトの断面積よりも小さくならざるを得ない。このため，室外に排気する空気流量の低下を招く可能性がある。また，ダクトカバーを換気ダクトに差し込んで取り付けるため，換気ダクトの形状或いは径の大きさによっては，ダクトカバーが対応できない場合もあり得る。
【０００５】
従って，本発明は上記事情に鑑みてなされたものであり，その目的とするところは，換気ダクトの室外側の側端部に冠着され，冠着端部に有孔閉塞板が設けられたダクトカバーにおいて，特に，ダクトカバーの小径部を該ダクトカバーの軸心に平行な方向に通気性を備えた構造にすることで大径換気ダクトを装着した場合でも流量の低下をきたさないダクトカバー，上記換気ダクト及び上記ダクトカバーから構成される換気装置，及び該換気装置を備えた空気調和機を提供することにある。
このことにより，上述した従来のダクトカバーによって生じる欠点を解消すると共に，ダクトカバーを複数の種類の換気ダクトに対して共用可能としつつ，空気流量の低下をも抑えることができる。即ち，室外に排出される室内の空気が，換気ダクトを通ってダクトカバーの室外側端部まで導かれる際に，空気排出口の断面積とダクトカバー室内側端部の断面積とが大きく変化しないので，ダクトカバー内部の空気の流通に抵抗がなくなり，空気の流通効率を上昇させる効果が得られると共に，排気流量の減少の防止にも繋がる。またダクトカバーの内周面に，小径ダクトを装着する小径部と大径ダクトを装着する大径部とを接続する段付き部が設けられることにより，ダクトカバーの内周面に接する大きさの径を持つ換気ダクトと，上記段付き部に接する大きさの径をもつ換気ダクトとの両方に共用できる。
【課題を解決するための手段】
【０００６】
上記目的を達成するために，本発明は，室外側端部に空気排出口が設けられると共に排気される空気を室内から室外へと導く換気ダクトの室外側の側端部に冠着される中空状のダクトカバーであって，冠着端部が有孔閉塞板によって通気状に閉塞されてなるダクトカバーにおいて，該ダクトカバーの内周面に，前記有孔閉塞板を設けた奥側に設けられ小径ダクトを装着可能な小径部と，入り口側に設けられ大径ダクトを装着可能な大径部とを備え，前記小径部が該ダクトカバーの軸心に平行な方向に通気性を備えた構造を具備してなることを特徴とするダクトカバーとして構成される。
また，前記ダクトカバーの一例として，該ダクトカバーの形状が概略中空円筒形状であることが考えられる。
【０００７】
この場合，前記通気性を備えた構造が，ダクトカバーの軸心に平行な尾根部と，該尾根部に平行な谷部とから構成されることが望ましい。
尚，前記尾根部については，更にその内部に通気孔を備えたものであることが考えられる。また，前記通気性を備えた構造については，該ダクトカバーの形状が概略中空円筒形状である場合，前記ダクトカバーの内部に形成された同心円筒により構成されてもよい。更に，前記大径部と前記小径部とを接続する段付き部先端については面取りされていることが好ましい。
【０００８】
ここで，前記ダクトカバーに，前記換気ダクトの該ダクトカバーから出た部分を前記ダクトカバーの前記入り口側の部分に固定するべく前記換気ダクトが貫通する鍔部材が備えられている場合があり得る。
【０００９】
また，前記有孔閉塞板が前記ダクトカバーの前記冠着端部に開閉自在に取り付けられている場合も考えられる。この場合，前記有孔閉塞板が前記ダクトカバーの前記冠着端部に接続部材を介して開閉自在に取り付けられていることが望ましい。また，前記有孔閉塞板を前記ダクトカバーの前記冠着端部が閉じられる方向に前記有孔閉塞板を常時弾性付勢する付勢部材を更に具備していてもよい。
【００１０】
尚,本発明における前記ダクトカバーについては，室外側端部に空気排出口が設けられると共に排気される空気を室内から室外へと導く換気ダクトと，該換気ダクトの室外側の側端部に冠着される中空状のダクトカバーとから構成される換気装置，或いは該換気装置を備えてなる空気調和機に用いられてもよい。
【発明の効果】
【００１１】
以上説明したように本発明における，ダクトカバーは，該ダクトカバーの内周面に，前記有孔閉塞板を設けた奥側に設けられ小径ダクトを装着可能な小径部と，入り口側に設けられ大径ダクトを装着可能な大径部とを備え，前記小径部が該ダクトカバーの軸心に平行な方向に通気性を備えた構造になっている。
このことにより，室外に排出される室内の空気が，前記換気ダクトを通って前記ダクトカバーの室外側端部まで導かれる際に，前記空気排出口の断面積と前記ダクトカバーの室内側端部の断面積とが，ほぼ同じ面積となるので，ダクトカバー内部の空気の流通に抵抗がなくなるため，空気流量を増大させる効果が得られる。
更に，前記ダクトカバーの前記入り口側の部分に前記鍔部材が設けられることにより，前記ダクトカバーに前記小径部に相当する径の換気ダクトが差し込まれた際，前記鍔部材によって前記換気ダクトを固定することが可能になり，設置状態が安定する。
【００１２】
また，前記段付き部の先端が面取りされることにより，前記ダクトカバーにおける前記小径部に，前記換気ダクトを差し込む際，前記段付き部の先端に前記換気ダクトが引っかかり難くなり，容易に前記ダクトカバーに前記換気ダクトを差し込むことができ，工事性も向上する。
【００１３】
ここで本発明において，前記有孔閉塞板が前記ダクトカバーの前記冠着端部に開閉自在に取り付けられている場合，例えば，前記換気ダクトからの排気流量が増大した際に，前記有孔閉塞板が排気される空気の風圧で開くことで，より多くの排気が行える効果が得られる。
また，前記付勢部材により，前記有孔閉塞板が前記ダクトカバーの前記冠着端部が閉じられる方向に付勢されることで，前記ダクトカバーを下向きに設置した場合でも，前記有孔閉塞板が自重で開くことがない。このことによりダクトカバー内にごみや虫が侵入するなどの問題がなく，前記ダクトカバーを備えた，換気装置及び空気調和機の設置場所に関する条件が緩和されよう。
【発明を実施するための最良の形態】
【００１４】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の一実施形態（以下，本実施形態例と言う）に係るダクトカバー１を径が小さい換気ダクト４に冠着させた際の斜視図，図２は本実施形態例に係るダクトカバー１を径が大きい換気ダクト５に冠着させた際の斜視図，図３は本実施形態例に係るダクトカバー１の横断面図，図４は本実施形態例に係る３種類の径の換気ダクトに対して共用可能なダクトカバー１の横断面図，図５は本実施形態例に係るダクトカバー１の先端の空気排出口を通気状に閉鎖する格子形状の有孔閉塞板２の正面図，図６は本実施形態例に係るダクトカバー１の差込口２ａにふた８を取り付ける際の斜視図，図７は本実施形態例に係るダクトカバー１における尾根部９が内部にダクトカバー１の軸心に平行な中空部１０をそなえた場合のダクトカバー１を差込口２ａ側から見た際の正面図，図８は本実施形態例に係るダクトカバー１におけるダクトカバー１と同軸の同心円筒１３を備えた場合のダクトカバー１を差込口２ａ側から見た際の正面図，図９は本実施形態例に係るダクトカバー１において有孔閉塞板２が閉じられている際の斜視図，図１０は本実施形態例に係るダクトカバー１において有孔閉塞板２が開かれている際の斜視図，図１１は本実施形態例に係るダクトカバー１に有孔閉塞板２を常時弾性付勢するゴム２２が設けられた際の斜視図，図１２は本実施形態例に係るダクトカバー１が設けられた，空気調和機が備える換気装置の一例を示した図である。
【００１５】
先ず，図１〜図５を用いて，本実施形態例に係るダクトカバー１の基本的構成について説明する。尚，図１及び図２は，ダクトカバー１を２種類の径の換気ダクト４及び５に冠着させた際の斜視図である。また図３及び図４はダクトカバー１の横断面図，図５はダクトカバー１の先端の空気排出口を通気状に閉鎖する格子形状の有孔閉塞板２の正面図である。ここで，本実施形態例では，ダクトカバーの形状が中空状であることの一例として，特に概略中空円筒形状の形状をしたダクトカバー１の場合について述べているが，例えば中空角筒形状や，断面形状が略Ｄ型である中空Ｄ型筒形状など，これに限定されずとも本発明は適用し得る。
本実施形態例に係るダクトカバー１は，プラスチック等の樹脂部材，或いは金属部材等から構成されており，上述した図からも分かるように，その形状は概略中空円筒形状（図１及び図２）をしているため，ダクトカバーの形状が角状である場合よりも強度が増す構造になっている。また，ダクトカバー１の室外側端部には空気排出口が設けられており，この空気排出口は格子形状の有孔閉塞板２により通気状に閉鎖されている。ここで，本実施形態例に挙げられる有孔閉塞板２が有する多孔の形状については格子形状としているが（図５），多孔の形状については，これに限定されるものではなく，例えば円形状等の閉じた曲線からなる形状，或いは六角形状等の多角形状であっても問題ないことは言うまでもない。このように，有孔閉塞板２が有する多孔の形状を，上述したような形状にすることにより，ごみや昆虫等の侵入の防止が可能になっている。
【００１６】
上記したようなダクトカバー１の内周面に，前記有孔閉塞板２を設けた奥側に，小径ダクト４を装着可能な小径部と，入り口側に設けられ大径ダクト５を装着可能な大径部が形成される点については，図１４に記載された従来のダクトカバー１０１と同様であるが，この実施形態における特徴点は，上記小径部が該ダクトカバー１の軸心に平行な複数（この場合４本）の尾根部３と，該尾根部３に挟まれた複数の谷部１２とによって構成されている点である。上記のように小径部に尾根部３が形成されていることにより，小さい径の換気ダクト４が有孔閉塞板２に接触するまでダクトカバー１に差し込まれると，換気ダクト４の先端は，図１に示すように上述した４本の尾根部３と接触し，これらの尾根部３により，ダクトカバー１に内周面に固定される仕組みになっている。
また，大径の換気ダクト５がダクトカバー１に差し込まれた際には，図２に示すように換気ダクト５の先端が尾根部３の差込口２ａ側の段付き部３ａに当接し，この段付き部３ａがストッパーの役目を果たし，換気ダクト５がそれ以上尾根部３の段付き部３ａよりダクトカバー１の奥側に挿入されない。またダクトカバー１の大径部の内周面に換気ダクト５が密に勘合することで，換気ダクト５が大径部に固定される。この時，前記小径部には複数の谷部１２が形成されているので，図２からも分かるように，換気ダクト５の先端が尾根部の段付き部３ａに当接した状態でも，換気ダクト５から排気される空気が，前記尾根部３と尾根部３との間の谷部１２を通って流れることができるので，図１３に示した従来のダクトカバー１０１と較べて，小径部における流路の面積が広く，ダクトカバー１が排気流量を低下させる不都合を生じない。
図１および図２に示したダクトカバー１は，大径部１個，小径部１個の１段構造のものであるが，この発明では，上記段付き部の数は１段に限定されない。例えば図４は２段構造の場合を示している。この場合，ダクトカバー１の内周面に形成された尾根部７の高さを，図４に示されるように，有孔閉塞板２に近いほど段階的に高くなるよう，尾根部７に複数段階の高さ（例えば，Ｚ＝２ｍｍ，Ｙ＝４ｍｍ）をもたせておくことにより，３種類の径の異なる換気ダクトに対してもダクトカバー１が共用可能となる。この場合，尾根部７の高さが変化する段付き部７ａについては，図４のようにテーパ面取りした形状にしておくか，或いはＲ面取り形状にすることで，段付き部７ａがとがった角形状である場合に比べて，換気ダクトが差し込みやすくなる。
尚，上記の説明では，２段の場合（図１，２，３）および３段の場合（図４）について記載したが，段数はこれ以外にも任意に設定可能である。また，本実施形態例に係るダクトカバー１の内部には，尾根部３が４本設けられているが，尾根部の本数については，これに限定されるものではなく何本でもよい。
【００１７】
図１，２，３或いは４のようなダクトカバー１に外径の小さい換気ダクトを装着すると，例えば図１から容易に理解されるように，内径の大きい長さＸの部分では，小径ダクト４との間に隙間６が生じてしまい換気ダクト４とダクトカバー１との間に遊びが生じることになる。このような遊びはダクトの振動などを許したり，昆虫の侵入の原因となる。
図６はダクトカバー１の差込口２ａ側に，ふた８（鍔部材の一例）を取り付けることを示す斜視図であるが，このようにふた８を取り付けることで，差込口２ａ側からの昆虫等の侵入を防止することができる。また，ふた８は，上述した尾根部により固定される換気ダクト（例えば換気ダクト４）がダクトカバー１へ差し込まれた場合に，この換気ダクトを固定してダクトの振動を防止する機能も有している。更に，ふた８をゴム等の伸縮性のある素材により構成することで，ふた８の有する孔を換気ダクトの径に合わせて変形可能とし，ダクトカバー１の径よりも小さい種々の換気ダクトに対して共用できるようにすることが望ましい。
尚，ふた８については，ダクトカバー１の差込口２ａ側端部に，例えばネジ，接着材等で取り付けることができる。
【００１８】
上述した実施形態では，ダクトカバーの軸心に平行な方向に通気性を備えた構造の一例として，前記尾根部３及びこれに平行な谷部１２について説明したが，上記ダクトカバーの軸心に平行な方向に通気性を備えた構造については，上記尾根部及び谷部１２に限定されるものではなく，例えば図７や図８に示したものも挙げられる。
図７は尾根部９が内部にダクトカバー１の軸心に平行な中空部１０を備えた場合のダクトカバー１を差込口２ａ側から見た際の正面図である。ダクトカバー１の内周面に設けられた尾根部９の形状は中空状形状をしており，また尾根部９に設けられた中空孔１０は，空気排出口のある上述した有孔閉塞板２まで貫通している。このような構造によって，ダクトカバー１に径の大きな換気ダクト（例えば換気ダクト５）を差し込んだ場合に，換気ダクトから排気された空気は，中空孔１０を通って有孔閉塞板２を経て空気排出口から排出される仕組みになっている。このため，尾根部９の形状が中空形状でない，即ち尾根部９が中空孔１０を有さない場合より，空気を排出する面積が広くなると共に，空気の流量も増大する。尚，上述した尾根部９の形状については，図７に示される形状に限定されない。
前記したダクトカバーの軸心に平行な方向に通気性を備えた構造の別例として例えば図８のような形状が考えられる。この場合，上記ダクトカバー１の内部に，ダクトカバー１と同軸の同心円筒１３が形成され，この同心円筒１３と外部のダクトカバー１との間の空間１１を通って，大径の換気ダクトからの換気が外部に流出する。尚，空間１１には尾根部９を形成することで構造的に強化することが望ましい。また尾根部９とダクトカバー１とを図８に示したように一体で構成しても，或いは別体に形成してもよいことは言うまでもない。
【００１９】
以上で説明したダクトカバー１が備える有孔閉塞板２については，図１〜図４，及び図６からも分かるように，ダクトカバー１の冠着端部に固定的に設けられていたが，本発明に係る有孔閉塞板２は，図９〜図１１のようにダクトカバー１の冠着部に開閉自在に取り付けることも可能である。
以下，図９，図１０，及び図１１を用いて，有孔閉塞板２をダクトカバー１の冠着部に開閉自在に取り付けた場合について説明する。尚，図９は本実施形態例に係るダクトカバー１において有孔閉塞板２が閉じられている際の斜視図，図１０は本実施形態に係るダクトカバー１において有孔閉塞板２が開かれている際の斜視図，図１１は本実施形態例に係るダクトカバー１に有孔閉塞板２を常時弾性付勢するゴム２２が設けられた際の斜視図である。ここでダクトカバー１の内部の構成については，上述した構成と同様であるので，ここでは省略する。
図９及び図１０に示されるように，ダクトカバー１の中空円筒部２０と有孔閉塞板２とは，例えば蝶番等の接続部材２１で接続されている。このことにより有孔閉塞板２は，例えば換気していない時や，換気ダクトからの排気流量が少ない時は，有孔閉塞板２の自重により有孔閉塞板２が閉じるため，有孔閉塞板２によりダクトカバー１の端部が閉塞された状態となる（図９）。この場合，ダクトカバー１の中空円筒部２０と有孔閉塞板２とは密着していることが望ましいが，昆虫等が侵入できない程度の隙間があっても問題ない。
また，有孔閉塞板２は，例えば換気ダクトからの排気流量が増大すると，その排気の風圧によって図１０のように開くようにその重量が調節されていることが望ましい。即ち，有孔閉塞板２は換気ダクトからの排気流量が多い程大きく開く構成になっている。その結果，換気ダクトからの排気流量が多い程，有孔閉塞板２の開口面積が広くなり，排気の空気流量が上昇するのである。この場合，排気の風圧が高いため，ダクトカバー１或いは換気ダクトへの昆虫等の侵入も防止できる。
尚，本実施形態例における接続部材２１については，上述したように蝶番でもよいが，市販されるシャンプー等が備えるキャップのように，接続部材２１，ダクトカバー１の中空円筒部２０，及び有孔閉塞板２が一体成型であっても問題ない。
【００２０】
図１１は有孔閉塞板２とダクトカバー１の中空円筒部２０とをゴム２２（本発明における付勢部材の一例）で接続した図である。このような構成にすることで，有孔閉塞板２が下向きの状態でダクトカバー１が取り付けられた場合でも，ゴム２２の張力により，有孔閉塞板２が閉じた状態で維持されるので，昆虫等の侵入を防ぐことができる。この場合，有孔閉塞板２は換気ダクトからの排気流量が多い程大きく開くように上記ゴム２２の張力が調節されていることが望ましい。その結果，換気ダクトからの排気される空気流量が多い程，有孔閉塞板２の開口面積が広くなり，排気の流通効率が上昇する。
尚，本発明における付勢部材の一例としてゴムを使用しているが，板バネ，コイルバネ，つるまきバネ等のバネ部材であっても問題ない。
【００２１】
本発明における一実施形態として説明したダクトカバー１については，換気ダクトとダクトカバーとから構成される換気装置，或いは換気装置を備えた空気調和機にも適用可能になっている。以下，図１２を用いて本実施形態例に係るダクトカバー１を換気ダクト５に取り付けた換気装置Ｖを空気調和機に搭載した例について説明する。尚，ここでは，換気装置Ｖを構成する換気ダクトに，上述した換気ダクト５を採用した場合について説明しているが，あくまで一例であり，換気ダクト５より径の小さい換気ダクト４等が採用される場合でも本発明は適用し得る。また，換気装置Ｖを備えた空気調和機は，言うまでもなく，室内機（不図示）と室外機（不図示）とから構成されているが，図１２では，特に室外機側の屋外に設置された換気装置Ｖ，及びその周辺の構成について図示している。
図１２に示されるように換気装置Ｖは，ダクトカバー１及び換気ダクト５から構成されており，換気装置Ｖの周辺に，室内機（不図示）と室外機（不図示）とを接続する冷媒配管３１及び３２，室内機（不図示）から排出されるドレン水を導くドレンホース３３が配置されている。また，冷媒配管３１，冷媒配管３２及びドレンホース３３については，家屋の壁面に設けられた壁穴３０に挿通して室内機（不図示）へ接続されている。ここで，使用される換気ダクトについては，壁穴３０に通す冷媒配管３１，冷媒配管３２及びドレンホース３３の兼ね合いから，壁穴３０の径が小さい場合には，例えば換気ダクト４のように径が細いものがよい。
【００２２】
尚，上述した換気ダクト４及び５の構成については，本実施形態例に挙げられた樹脂製等の蛇腹ホースに限定するものではなく，ゴム製等でもよく，蛇腹ホース以外のホースでもよいことは言うまでもない。また，ふた８についてもゴム等の伸縮性のある素材でなく，樹脂や金属を原材料としてもよい。そうすることにより，ゴムを使用した場合よりも見栄えがよくなる。また，ふた８を用いるのではなく，ビニールテープ等のテープで差込口２ａ側の隙間を塞いでも問題ない。
【図面の簡単な説明】
【００２３】
【図１】本発明の一実施形態に係るダクトカバー１を径が小さい換気ダクト４に冠着させた際の斜視図。
【図２】本発明の一実施形態に係るダクトカバー１を径が大きい換気ダクト５に冠着させた際の斜視図。
【図３】本発明の一実施形態に係るダクトカバー１の横断面図。
【図４】本発明の一実施形態に係る３種類の径の換気ダクトに対して共用可能なダクトカバー１の横断面図。
【図５】本発明の一実施形態に係るダクトカバー１の先端の空気排出口を通気状に閉鎖する格子形状の有孔閉塞板２の正面図。
【図６】本発明の一実施形態に係るダクトカバー１の差込口２ａにふた８を取り付ける際の斜視図。
【図７】本発明の一実施形態に係るダクトカバー１における尾根部９が内部にダクトカバー１の軸心に平行な中空部１０をそなえた場合のダクトカバー１を差込口２ａ側から見た際の正面図
【図８】本発明の一実施形態に係るダクトカバー１におけるダクトカバー１と同軸の同心円筒１３を備えた場合のダクトカバー１を差込口２ａ側から見た際の正面図である。
【図９】本発明の一実施形態に係るダクトカバー１において有孔閉塞板２が閉じられている際の斜視図。
【図１０】本発明の一実施形態に係るダクトカバー１において有孔閉塞板２が開かれている際の斜視図。
【図１１】本発明の一実施形態に係るダクトカバー１に有孔閉塞板２を常時弾性付勢するゴム２２が設けられた際の斜視図。
【図１２】本発明の一実施形態に係るダクトカバー１が設けられた，空気調和機が備える換気装置の一例を示した図。
【図１３】従来技術に係るダクトカバー１０１を細い径を有する換気ダクト１０５に冠着した図。
【図１４】従来技術に係るダクトカバー１０１を太い径を有する換気ダクト１０６に冠着した図。
【符号の説明】
【００２４】
１…ダクトカバー
２…有孔閉塞板
２ａ…差込口
３，７，９…尾根部
３ａ，７ａ…段付き部
４…換気ダクト（小径）
５…換気ダクト（大径）
６…間隙
８…ふた
１０…中空孔
１１…空間
１２…谷部
１３…同心円筒
２０…ダクトカバー１の中空円筒部
２１…接続部材
２２…ゴム
１０１…ダクトカバー（従来）
１０２…空気排出口
１０３…ダクトカバーの小径部（従来）
１０４…ダクトカバーの大径部（従来）
１０５，１０６…換気ダクト
１０７…換気ダクト差込口
【図１】
2005127585.tif 000003
【図２】
2005127585.tif 000004
【図３】
2005127585.tif 000005
【図４】
2005127585.tif 000006
【図５】
2005127585.tif 000007
【図６】
2005127585.tif 000008
【図７】
2005127585.tif 000009
【図８】
2005127585.tif 000010
【図９】
2005127585.tif 000011
【図１０】
2005127585.tif 000012
【図１１】
2005127585.tif 000013
【図１２】
2005127585.tif 000014
【図１３】
2005127585.tif 000015
【図１４】
2005127585.tif 000016